(57)【要約】【課題】マップ情報が多量にならず、かつ不要なパケットが再送されないようにすることができる通信装置および通信方法を提供する。【解決手段】データ分類部３４は、通信相手の装置へのユーザデータに含まれる再送制御を必要とする第１種類のパケットを第１のサブバーストのデータとし、前記ユーザデータに含まれる再送制御が不必要な第２種類のパケットを第２のサブバーストのデータとする。ＤＬ−ＭＡＰ作成部３６は、第１のサブバーストについて、再送制御を要することを示す情報を含む第１のマップ情報を作成し、第２のサブバーストについて、再送制御が不必要なことを示す情報を含む第２のマップ情報を作成する。送信部１３は、第１のサブバーストおよび第２のサブバーストを送信するとともに、第１のマップ情報および第２のマップ情報を送信する。【選択図】図２
2012095087.tif 000002
【特許請求の範囲】
【請求項１】
通信相手の装置へのユーザデータに含まれる再送制御を必要とする第１種類のパケットを第１のサブバーストのデータとし、前記ユーザデータに含まれる再送制御が不必要な第２種類のパケットを第２のサブバーストのデータとする分類部と、
前記第１のサブバーストについて、再送制御を要することを示す情報を含む第１のマップ情報を作成し、前記第２のサブバーストについて、再送制御が不必要なことを示す情報を含む第２のマップ情報を作成するマップ情報作成部と、
前記第１のサブバーストおよび前記第２のサブバーストを送信するとともに、前記第１のマップ情報および前記第２のマップ情報を送信する送信部とを備えた通信装置。
【請求項２】
前記マップ情報作成部は、前記ユーザデータが配置されるフレーム内の領域の中の前記第１のサブバーストが配置される領域を示す情報を含む第１のマップ情報を作成し、前記ユーザデータが配置されるフレーム内の領域の中の前記第２のサブバーストが配置される領域を示す情報を含む第２のマップ情報を作成する、請求項１記載の通信装置。
【請求項３】
前記通信装置は、さらに、
前記第１のサブバーストについて、通信エラーがない場合に、前記通信相手の装置からＡＣＫ信号を受信し、通信エラーが発生した場合に、前記通信相手の装置からＮＡＣＫ信号を受信し、前記第２のサブバーストについて、ＡＣＫ信号およびＮＡＣＫ信号を受信しない受信部を備える、請求項２記載の通信装置。
【請求項４】
前記通信装置は、さらに、
前記受信部で前記ＮＡＣＫ信号を受信したときには、前記第１のサブバーストを再送信する再送制御部を備える、請求項３記載の通信装置。
【請求項５】
前記フレームは、直交周波数分割多重化接続（ＯＦＤＭＡ）フレームである、請求項４記載の通信装置。
【請求項６】
前記ユーザデータは、前記ＯＦＤＭＡフレームの下りサブフレーム内に配置され、
前記第１および第２のマップ情報は、ＤＬ−ＭＡＰに含まれるＨＡＲＱ  サブバーストＩＥである、請求項５記載の通信装置。
【請求項７】
前記第１種類のパケットは、ＴＣＰパケットである、請求項６記載の通信装置。
【請求項８】
前記第２種類のパケットは、ＵＤＰパケットである、請求項６記載の通信装置。
【請求項９】
通信相手の装置へのユーザデータに含まれる再送制御を必要とする第１種類のパケットを第１のサブバーストのデータとし、前記ユーザデータに含まれる再送制御が不必要な第２種類のパケットを第２のサブバーストのデータとするステップと、
前記第１のサブバーストについて、再送制御を要することを示す情報を含む第１のマップ情報を作成し、前記第２のサブバーストについて、再送制御が不必要なことを示す情報を含む第２のマップ情報を作成するステップと、
前記第１のサブバーストおよび前記第２のサブバーストを送信するとともに、前記第１のマップ情報および前記第２のマップ情報を送信するステップとを備えた通信方法。
【発明の詳細な説明】
【技術分野】
【０００１】
本発明は、通信装置および通信方法に関し、特に、再送機能を有する通信装置、およびそのような通信装置の通信方法に関する。
【背景技術】
【０００２】
直交周波数分割多重接続（Orthogonal Frequency Division Multiple Access : OFDMA）方式の無線基地局システムにおいて、無線基地局から無線端末に下りデータを転送する際、自動再伝送要求（Hybrid Automatic Repeat Request: HARQ）と呼ばれる再送手順を実施する（たとえば、特許文献１（特表２００８−５２６０８９号公報）および特許文献２（特表２００９−５０２０８８号公報）を参照）。
【０００３】
自動再伝送要求では、無線上で下りデータにエラーが発生した際は、無線基地局は、そのデータを再送する。自動再伝送要求の単位となるデータは、ＨＡＲＱサブバーストと呼ばれる。
【先行技術文献】
【特許文献】
【０００４】
【特許文献１】特表２００８−５２６０８９号公報
【特許文献２】特表２００９−５０２０８８号公報
【発明の概要】
【発明が解決しようとする課題】
【０００５】
ところで、１ユーザデータにＨＡＲＱサブバーストを割り当てる場合には、ＨＡＲＱサブバーストに複数のパケットが割り当てられることがある。この方法では、エラーが発生したパケットがそもそも再送制御を必要としないパケット（たとえばＵＤＰ（User Datagram Protocol）パケット）の場合にも、ＨＡＲＱサブバースト全体が再送される。そのため、不要なパケットの再送によって、スループットの低下が発生する。
【０００６】
また、パケットごとにＨＡＲＱサブバーストを割り当てた場合には、エラーが発生し、かつ再送が必要なパケットのみを再送するようにすることができる。しかしながら、この方法では、ＨＡＲＱサブバーストの再送制御が必要か否かを知らせるためのマップ情報が増加し、オーバーヘッドが発生する。
【０００７】
それゆえに、本発明の目的は、マップ情報が多量にならず、かつ不要なパケットが再送されないようにすることができる通信装置および通信方法を提供することである。
【課題を解決するための手段】
【０００８】
上記課題を解決するために、本発明の通信装置は、通信相手の装置へのユーザデータに含まれる再送制御を必要とする第１種類のパケットを第１のサブバーストのデータとし、ユーザデータに含まれる再送制御が不必要な第２種類のパケットを第２のサブバーストのデータとする分類部と、第１のサブバーストについて、再送制御を要することを示す情報を含む第１のマップ情報を作成し、第２のサブバーストについて、再送制御が不必要なことを示す情報を含む第２のマップ情報を作成するマップ情報作成部と、第１のサブバーストおよび第２のサブバーストを送信するとともに、第１のマップ情報および第２のマップ情報を送信する送信部とを備える。
【発明の効果】
【０００９】
本発明によれば、マップ情報が多量にならず、かつ余計なパケットが再送されないようにすることができる
【図面の簡単な説明】
【００１０】
【図１】本発明の実施形態の無線通信システムの構成を表わす図である。
【図２】本発明の実施形態の無線基地局の構成を示す図である。
【図３】本発明の実施形態のＨＡＲＱサブバーストとＤＬ−ＭＡＰの例を説明するための図である。
【図４】従来のＨＡＲＱサブバーストとＤＬ−ＭＡＰの例を説明するための図である。
【図５】従来のＨＡＲＱサブバーストとＤＬ−ＭＡＰの別の例を説明するための図である。
【図６】本発明の実施形態の無線基地局のＨＡＲＱサブバースト領域の決定とＤＬ−ＭＡＰの作成手順を示すフローチャートである。
【発明を実施するための形態】
【００１１】
以下、本発明の実施形態について、図面を用いて説明する。
（全体構成）
図１は、本発明の実施形態の無線通信システムの構成を表わす図である。
【００１２】
図１を参照して、この無線通信システムは、無線基地局２と、ｎ個の無線端末３ａ〜３ｎとを備える。以下、無線端末３ａ〜３ｎのうちのいずれかを表わすときには、無線端末３と記すことにする。無線基地局は、ｎ個の無線端末のうちの複数個と同時に通信が可能である。無線基地局２は、有線のネットワーク５を介して通信制御装置４と接続される。通信制御装置４は、無線基地局２と通信中の無線端末３ａ〜３ｎへの下りユーザデータをネットワーク５を通じて無線基地局２へ送信する。
【００１３】
この無線通信システムは、下りのユーザデータに対して、自動再伝送要求（Hybrid Automatic Repeat Request: HARQ）と呼ばれる再送手順を実施する。それゆえ、下りユーザデータは、ＨＡＲＱバーストとして伝送される。
【００１４】
無線端末は、無線基地局から送信されたＨＡＲＱバーストを正常に受信した場合には、ＡＣＫ信号を無線基地局へフィードバックする。無線端末は、無線基地局から送信されたＨＡＲＱバーストを正常に受信できなかった場合に、ＮＡＣＫ信号を無線基地局へフィードバックする。無線基地局は、ＮＡＣＫ信号を受信した場合には、そのＮＡＣＫ信号に対応するＨＡＲＱバーストを再送信する。
【００１５】
（構成）
図２は、本発明の実施形態の無線基地局の構成を示す図である。
【００１６】
この無線基地局２は、直交周波数分割多重接続（ＯＦＤＡＭ）方式の無線基地局であって、第１のアンテナ１０と、第２のアンテナ１１と、送信部１３と、受信部１２と、制御部１４とを備える。
【００１７】
送信部１３は、マルチアンテナ送信信号処理部２４と、サブキャリア配置部２３と、ＩＦＦＴ部（Inverse First Fourier Transform）２２と、ＣＰ（Cyclic Prefix）付加部２１と、ＲＦ(Radio Frequency)部２０とを備える。
【００１８】
サブキャリア配置部２３は、たとえばＰＵＳＣ（Partial Usage of Subchannels)に基づいて、制御部１４で決定されたデータの配置に従って、サブキャリアを配置する。
【００１９】
マルチアンテナ送信信号処理部２４は、１つのデータストリームを時空間符号化、または複数のデータストリームを空間多重化する。
【００２０】
ＩＦＦＴ部２２は、マルチアンテナ送信信号処理部２４から出力される複数のサブキャリア信号（周波数領域の信号）をＩＦＦＴによって、時間領域の信号（ＯＦＤＭＡ（Orthogonal Frequency Division Multiple Access）シンボル）に変換する。
【００２１】
ＣＰ付加部２１は、ＯＦＤＭＡシンボルの後尾部分と同じ信号をＣＰとしてＯＦＤＭＡシンボルの先頭に付加する。
【００２２】
ＲＦ部２０は、無線周波数帯にアップコンバートするアップコンバータ、アップコンバートされた信号を増幅する電力増幅回路、増幅された信号のうち所望帯域の信号成分のみを通過させて第１のアンテナ１０および第２のアンテナ１１へ出力するバンドパスフィルタなどを含む。
【００２３】
受信部１２は、ＲＦ部１５と、ＣＰ除去部１６と、ＦＦＴ部１７と、サブキャリア配置部１８とを備える。
【００２４】
ＲＦ部１５は、第１のアンテナ１０および第２のアンテナ１１から出力される信号のうち所望帯域の信号成分のみを通過させるバンドパスフィルタ、ＲＦ信号を増幅する低雑音増幅回路、ＲＦ信号をダウンコンバートするダウンコンバータなどを含む。
【００２５】
ＣＰ除去部１６は、ＲＦ部１５から出力される信号からＣＰを除去する。
ＦＦＴ部１７は、ＣＰ除去部１６から出力される時間領域の信号をＦＦＴによって、周波数領域の信号に変換して、複数のサブキャリアに復調する。
【００２６】
サブキャリア配置部１８は、たとえばＰＵＳＣに基づいて、ＦＦＴ部１７から出力される各サブキャリアを抽出する。
【００２７】
制御部１４は、データ分類部３４と、ＨＡＲＱバースト領域決定部３３と、ＨＡＲＱサブバースト領域決定部３２と、制御情報作成部３５と、再送制御部３１とを備える。
【００２８】
データ分類部３４は、ネットワーク５を通じて取得したパケットがＴＣＰ（Transmission Control Protocol）パケットの場合に、このパケットを再送制御が必要な第１ＨＡＲＱサブバーストのデータとする。データ分類部３４は、ネットワーク５を通じて取得したパケットがＵＤＰパケットの場合に、このパケットを再送制御が不要な第２ＨＡＲＱサブバーストのデータとする。
【００２９】
ＨＡＲＱバースト領域決定部３３は、ＨＡＲＱバーストとして送信するユーザデータのデータ量に応じた数のスロットからなるＨＡＲＱバースト領域を決定する。ここで、スロットは、最小資源割当単位であり、たとえば、周波数軸上では複数のサブキャリアを集めた１つのサブチャネルからなり、時間軸上では１つのシンボルからなる２次元の領域である。
【００３０】
ＨＡＲＱサブバースト領域決定部３２は、ＨＡＲＱバースト領域内の第１ＨＡＲＱサブバースト領域および第２ＨＡＲＱサブバースト領域を決定する。ＨＡＲＱサブバースト領域決定部３２は、たとえば、第１ＨＡＲＱサブバーストのデータ量に応じた数のスロットをサブチャネルの番号が増加する方向に確保する。ＨＡＲＱサブバースト領域決定部３２は、最大のサブチャネルの番号に達した場合には、シンボル方向にスロットを構成するシンボルの幅分だけ増加させてから、さらにサブチャネルの番号の先頭からサブチャネルの番号が増加する方向にスロットを確保する。ＨＡＲＱサブバースト領域決定部３２は、第１ＨＡＲＱサブバースト領域が決定されたら、次に、同様の手順で第２ＨＡＲＱサブバースト領域を決定する。
【００３１】
制御情報作成部３５は、ＤＬ−ＭＡＰ作成部３６を含む。ＤＬ−ＭＡＰ作成部３６は、ＨＡＲＱ ＤＬ−ＭＡＰ ＩＥ、およびＨＡＲＱ サブバースト ＩＥを含むＤＬ−ＭＡＰを作成する。
【００３２】
再送制御部３１は、ＨＡＲＱ方式で第１ＨＡＲＱサブバーストおよび第２ＨＡＲＱサブバーストの再送を制御する。再送制御部３１は、無線基地局からＮＡＣＫ信号を受信したときには、そのＮＡＣＫ信号に対応するＨＡＲＱバーストを再送する。
【００３３】
（本発明の実施形態の割当の例）
図３は、本発明の実施形態のＨＡＲＱサブバーストとＤＬ−ＭＡＰの例を説明するための図である。
【００３４】
図３を参照して、ＯＦＤＭＡフレームは、下りサブフレームと、上りサブフレームからなる。
【００３５】
図３において、横軸は、時間軸としてシンボル単位で表示したもので、縦軸は、周波数軸としてサブチャネル単位で表示したものである。下りサブフレームおよび上りサブフレームそれぞれは、ＯＦＤＭシンボル（単位時間）で与えられる時間軸と、サブチャネルで与えられる周波数軸の２次元で表される。サブチャネルは、複数のサブキャリアから構成される。以下、シンボルで与えられる時間軸方向をシンボル方向、サブチャネルで与えられる周波数軸方向をサブチャネル方向と記すこともある。
【００３６】
下りサブフレームは、プリアンブルと、ＤＬ−ＭＡＰと、ＵＬ−ＭＡＰと、ダウンリンクユーザデータ領域とを含む。
【００３７】
ＵＬ−ＭＡＰ（Uplink Map）は、アップリンクユーザデータ領域に関する情報などの上りの無線リソースの割当情報が配置される。
【００３８】
ダウンリンクユーザデータ領域には、下りのユーザデータが配置される。ダウンリンクユーザデータ領域は、複数のスロットで構成される。
【００３９】
プリアンブルは、同期確立などのために既知の信号が配置される。
ＤＬ−ＭＡＰ（Downlink Map）は、ダウンリンクユーザデータ領域に関する情報などの下りの無線リソースの割当情報が配置される。
【００４０】
ＤＬ−ＭＡＰは、１つのユーザデータごとに設けられるＨＡＲＱ ＤＬ−ＭＡＰ ＩＥを含む。ＨＡＲＱ ＤＬ−ＭＡＰ ＩＥは、下りサブフレーム内のＨＡＲＱバースト領域を特定するための情報である。
【００４１】
本実施の形態では、ユーザ３データは、ＨＡＲＱバーストで送信される。ユーザ３データを含むＨＡＲＱバーストは、第１ＨＡＲＱサブバースト９０と第２ＨＡＲＱサブバースト９１を含む。第１ＨＡＲＱサブバースト９０は、４個のＴＣＰパケット７３ａ〜７３ｄで構成される。第２ＨＡＲＱサブバースト９１は、１個のＵＤＰパケット７３ｅで構成される。
【００４２】
第１ＨＡＲＱサブバースト９０に対して、ＨＡＲＱ ＤＬ−ＭＡＰ ＩＥ７１が示されている。ＨＡＲＱ ＤＬ−ＭＡＰ ＩＥ７１は、複数のＨＡＲＱ サブバースト ＩＥを含む。
【００４３】
各ＨＡＲＱ サブバースト ＩＥは、ＨＡＲＱバースト領域内の各ＨＡＲＱサブバースト領域を特定するための情報と、このサブバーストの再送制御に関する情報ＡＣＫ／ＮＡＣＫ Ｅｎａｂｌｅ、またはＡＣＫ／ＮＡＣＫ Ｄｉｓａｂｌｅとを含む。
【００４４】
再送制御がＡＣＫ／ＮＡＣＫ Ｅｎａｂｌｅは、再送制御が必要であることを表わす。この場合、無線端末３には、応答を送信するためのチャネル（ＡＣＫＣＨ）が割り当てられる。無線端末３がＨＡＲＱバーストを正常に受信できた場合（通信エラーがない場合）には、無線基地局２の受信部１２は、この応答チャネルを通じて無線端末３からＡＣＫ信号を受信し、ＨＡＲＱバーストを正常に受信できなかった場合（通信エラーが発生した場合）に、無線基地局２の受信部１２は、この応答チャネルを通じて無線端末３からＮＡＣＫ信号を受信する。再送制御がＡＣＫ／ＮＡＣＫ Ｄｉｓａｂｌｅは、再送制御が不必要なことを表わす。この場合、無線端末３には、応答を送信するためのチャネルが割り当てられない。無線基地局２の受信部１２は、無線端末３がＨＡＲＱバーストを正常に受信できたかどうかに係らず、無線端末３からＡＣＫ信号およびＮＡＣＫ信号を受信しない。
【００４５】
本実施の形態では、第１ＨＡＲＱサブバースト９０に対してＨＡＲＱ ＤＬ−ＭＡＰ ＩＥ７２ａと、第２ＨＡＲＱサブバースト９１に対してＨＡＲＱ ＤＬ−ＭＡＰ ＩＥ７２ｂとが示されている。ＨＡＲＱ ＤＬ−ＭＡＰ ＩＥ７２ａは、ＡＣＫ／ＮＡＣＫ Ｅｎａｂｌｅの再送制御情報を含む。ＨＡＲＱ ＤＬ−ＭＡＰ ＩＥ７２ｂは、ＡＣＫ／ＮＡＣＫ Ｄｉｓａｂｌｅの再送制御情報を含む。
【００４６】
上りサブフレームは、レンジング領域と、ＣＱＩＣＨ領域と、ＡＣＫＣＨ領域と、アップリンクユーザデータ領域とを含む。
【００４７】
レンジング領域には、レンジング信号が配置される。
ＣＱＩＣＨ（channel quality information channel）領域は、チャネル品質を表わす信号が配置される。
【００４８】
ＡＣＫＣＨ（Acknowledgement Channel）領域は、チャネル確認応答を表わす信号が配置される。
【００４９】
サウンディングゾーンには、無線基地局において、アダプティブアレイのウェイトを算出する際に使用するサウンディング信号が配置される。
【００５０】
アップリンクユーザデータ領域には、上りのユーザデータが配置される。
（参考例）
図４は、従来のＨＡＲＱサブバーストとＤＬ−ＭＡＰの例を説明するための図である。
【００５１】
図４では、１個のユーザデータに１個のＨＡＲＱサブバースト１９０が割り当てられる。このＨＡＲＱサブバースト１９０は、４個のＴＣＰパケット６３ａ，６３ｂ，６３ｄ，６３ｅと、１個のＵＤＰパケット６３ｃとを含む。
【００５２】
このＨＡＲＱサブバースト１９０に対して、ＨＡＲＱ サブバースト ＩＥ６２が示されている。このＨＡＲＱ サブバースト ＩＥ６２では、再送制御がＡＣＫ／ＮＡＣＫ Ｅｎａｂａｌｅに設定される。
【００５３】
したがって、図４の割当では、再送制御が不要なパケットであるＵＤＰパケットにエラーが発生した場合にも、ＨＡＲＱサブバースト全体が再送され、下りのスループットが低下するという問題がある。
【００５４】
図５は、従来のＨＡＲＱサブバーストとＤＬ−ＭＡＰの別の例を説明するための図である。
【００５５】
図５では、ユーザデータは、５個のＨＡＲＱサブバーストで構成される。パケットごとにＨＡＲＱサブバーストが割り当てられる。
【００５６】
ＨＡＲＱサブバースト８１，８２，８３，８４，８５は、ＴＣＰパケット５３ａ，ＴＣＰパケット５３ｂ，ＵＤＰパケット５３ｃ、ＴＣＰパケット５３ｄ、ＴＣＰパケット５３ｅとを含む。
【００５７】
これらのＨＡＲＱサブバースト８１，８２，８３，８４，８５に対して、ＨＡＲＱ サブバースト ＩＥ５２ａ，５２ｂ，５２ｃ，５２ｄ，５２ｅが示されている。ＨＡＲＱ サブバースト ＩＥ５２ａ，５２ｂ，５２ｄ，５２ｅでは、ＨＡＲＱサブバーストがＴＣＰパケットを送信するため再送制御がＡＣＫ／ＮＡＣＫ Ｅｎａｂａｌｅに設定される。ＨＡＲＱ サブバースト ＩＥ５２ｃでは、ＨＡＲＱサブバーストがＵＤＰパケットを送信するため、再送制御がＡＣＫ／ＮＡＣＫ Ｄｉｓｂａｌｅに設定される。
【００５８】
したがって、図５の割当では、ＵＤＰパケットにエラーが発生した場合に、ＵＤＰパケット５３ｃが再送されないという利点がある。しかし、ＤＬ−ＭＡＰは、５個のＨＡＲＱ サブバースト ＩＥ５２ａ〜５３ｅを含む必要があり、オーバーヘッドが増加し、下りのスループットが低下するという問題がある。
【００５９】
（動作）
図６は、本発明の実施形態の無線基地局のＨＡＲＱサブバースト領域の決定とＤＬ−ＭＡＰの作成手順を示すフローチャートである。
【００６０】
図６を参照して、まず、データ分類部３４は、ネットワーク５を介して受信するユーザデータに含まれるパケットをスヌーピングする（ステップＳ１０１）。
【００６１】
データ分類部３４は、取得したパケットがＴＣＰパケットの場合に（ステップＳ１０２でＹＥＳ）、このパケットを第１ＨＡＲＱサブバーストのデータとする（ステップＳ１０３）。
【００６２】
データ分類部３４は、取得したパケットがＴＣＰパケットでない場合、つまりＵＤＰパケットの場合に（ステップＳ１０２でＮＯ）、このパケットを第２ＨＡＲＱサブバーストのデータとする（ステップＳ１０４）。
【００６３】
ユーザデータに含まれるすべてのパケットを取得した場合に（ステップＳ１０５でＹＥＳ）、ＨＡＲＱバースト領域決定部３３は、ユーザデータのＨＡＲＱバースト領域を決定する（ステップＳ１０６）。
【００６４】
次に、ＨＡＲＱサブバースト領域決定部３２は、決定したＨＡＲＱバースト領域内での第１ＨＡＲＱサブバーストの領域を決定する（ステップＳ１０７）。
【００６５】
次に、ＤＬ−ＭＡＰ作成部３６は、第１ＨＡＲＱサブバーストの領域および再送制御がＡＣＫ／ＮＡＣＫ Ｅｎａｂｌｅであることを表わす第１のＨＡＲＱサブバーストＩＥを作成する（ステップＳ１０８）。
【００６６】
次に、ＨＡＲＱサブバースト領域決定部３２は、決定したＨＡＲＱバースト領域内での第２ＨＡＲＱサブバーストの領域を決定する（ステップＳ１０９）。
【００６７】
次に、ＤＬ−ＭＡＰ作成部３６は、第２ＨＡＲＱサブバーストの領域および再送制御がＡＣＫ／ＮＡＣＫ Ｄｉｓａｂｌｅであることを表わす第２のＨＡＲＱサブバーストＩＥを作成する（ステップＳ１１０）。
【００６８】
（スループット）
次に、本発明の実施形態によるスループットと、従来の通信方式によるスループットの相違について説明する。
【００６９】
以下の条件で下りデータを受信していると仮定し、ＴＣＰパケットを再送制御が必要なデータとし、ＵＤＰパケットを再送制御が不必要なデータとする。
【００７０】
下りデータの受信レート＝１０Ｍｂｐｓ
下りデータのパケットサイズ＝１２５０バイト
下りデータのＵＤＰパケットに対するＴＣＰパケットの比率＝４
無線基地局と端末の間で、１秒間に２００フレームの送信が可能とし、パケットエラーレートを５％とする。また、各パケットは、フレーム内に均等に割り当てられるものとする。
【００７１】
上記条件において、（１）従来のようにエラーがあった場合にＴＣＰパケットとＵＤＰパケットを再送する処理と、（２）本発明の実施形態のようにエラーがあった場合にＴＣＰパケットのみ再送する処理でのＴＣＰパケットの送信スループットを以下に示す。
【００７２】
（１）  エラーがあったときにＵＤＰパケットも再送する処理
パケットのスループットは、１０００ｐｐｓとなるので、１フレームにつき５個のパケットが送信可能となる。パケットエラーレートが５％であるから、１フレームでエラーが発生する確率Ｐ１は、以下の値となる。
【００７３】
Ｐ１＝１−０．９５5≒０．２３
それゆえ、１秒間に再送が発生するフレーム数Ｎ１は、以下の値となる。
【００７４】
Ｎ１＝２００×０．２３＝４６フレームとなる。
したがって、２４６フレーム（＝１．２３秒）でＴＣＰパケットの１．００ＭバイトのデータとＵＤＰパケットの０．２５Ｍバイトのデータが送られることになる。
【００７５】
よって、無線端末側での下りスループットＳ１は、以下の値となる。
Ｓ１=１．２５[Ｍバイト]／１．２３（秒）≒８．１３Ｍｂｐｓ
（２）  エラーがあったときにＴＣＰパケットのみを再送する処理
パケットのスループットは、１０００ｐｐｓとなるので、１フレームにつき５個のパケットが送信可能となる。本発明の実施形態ではＵＤＰパケットのエラーは、無視される。
ＵＤＰパケットに対するＴＣＰパケットの比率が４であり、パケットエラーレートが５％であるから、１フレームでエラーが発生する確率Ｐ２は、以下の値となる。
【００７６】
Ｐ２＝１−０．９５4≒０．１９
それゆえ、１秒間に再送が発生するフレーム数Ｎ２は、以下の値となる。
【００７７】
Ｎ２＝２００×０．１９＝３８フレームとなる。
したがって、２３８フレーム（＝１．１９（秒））でＴＣＰパケットの１．００Ｍバイトのデータが送られる。さらに、ＵＤＰは９５％の確率で正しいデータが送信され続けられるため、ＵＤＰのみのデータ転送速度は１２５０バイト×２００×０．９５＝１．９Ｍｂｐｓとなる。
【００７８】
よって、無線端末側での下りスループットＳ２は、以下の値となる。
１．００[Ｍバイト]／１．１９（秒）≒６．７２Ｍｂｐｓより、
Ｓ２＝６．７２＋１．９≒８．６２Ｍｂｐｓ
（１）および（２）を比較すると、従来のようにエラーがあったときにＵＤＰパケットも再送する処理に対して、本実施の形態のようにエラーがあったときにＴＣＰパケットのみを再送する処理では、１０６％のスループットが実現できる。
【００７９】
今回の例よりもエラーレートが高い場合や、UDPのデータ比率が高い場合には、より速度を向上させることが可能となる。
【００８０】
（効果）
以上のように、本発明の実施形態によれば、第１ＨＡＲＱサブバーストがＴＣＰパケットを含み、第１ＨＡＲＱサブバーストがＵＤＰパケットを含むようにしたので、マップ情報が多量にならず、かつ再送制御が不用なパケットが再送されないようにすることができる。
【００８１】
（変形例）
（１）  ＨＡＲＱサブバースト
本発明の実施形態では、ＯＦＤＭＡ通信方式における自動再伝送要求（ＨＡＲＱ）再送機能について説明したが、これに限定するものではない。本発明の実施形態で説明したサブバーストの割当およびサブバーストＩＥの作成は、その他の通信方式の再送制御へも適用することができる。
【００８２】
（２）  上りユーザデータ
本発明の実施形態では、下りユーザデータの再送制御への適用について説明したが、これに限定するものではない。本発明の実施形態で説明したＨＡＲＱサブバーストの割当およびＨＡＲＱ サブバースト ＩＥの作成は、上りユーザデータの再送制御へも適用することができる。
【００８３】
（３）  マップ情報
本発明の実施形態では、第１のＨＡＲＱサブバーストＩＥは、第１ＨＡＲＱサブバーストの領域を表わす情報を含み、第２のＨＡＲＱサブバーストＩＥは、第２ＨＡＲＱサブバーストの領域を表わす情報を含むものとしたが、これに限定するものではない。
【００８４】
ＨＡＲＱバースト内での第１ＨＡＲＱサブバーストの領域と第２ＨＡＲＱサブバーストの領域を固定した場合には、すなわち第１ＨＡＲＱサブバーストに含まれるＴＣＰパケットの数および第２ＨＡＲＱサブバーストに含まれるＵＤＰパケットの数を固定すれば、これらの情報は不要である。
【００８５】
（４）  ＨＡＲＱサブバースト
本発明の実施形態では、ＨＡＲＱサブバースト領域決定部は、ＨＡＲＱサブバーストのデータ量に応じた数のスロットをサブチャネルの番号が増加する方向に確保することとしたが、これに限定するものではない。ＨＡＲＱサブバースト領域決定部は、ＨＡＲＱサブバーストのデータ量に応じた数のスロットをシンボルの番号が増加する方向に確保することとしてもよい。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８７】
１  通信システム、２  無線基地局、３ａ〜３ｎ，３  無線端末、５  ネットワーク、１０，１１  アンテナ、１２  送信部、１３  受信部、１４  制御部、１５，２０  ＲＦ部、１６  ＣＰ除去部、１７  ＦＦＴ部、１８  サブキャリア配置部、２１  ＣＰ付加部、２２  ＩＦＦＴ部、２４  マルチアンテナ送信信号処理部、２３  サブキャリア配置部、３１  再送制御部、３２  ＨＡＲＱサブバースト領域決定部、３３  ＨＡＲＱバースト領域決定部、３４  データ分類部、３５  制御情報作成部、３６  ＤＬ−ＭＡＰ作成部。
【図１】
2012095087.tif 000003
【図２】
2012095087.tif 000004
【図３】
2012095087.tif 000005
【図４】
2012095087.tif 000006
【図５】
2012095087.tif 000007
【図６】
2012095087.tif 000008